(57)【要約】【課題】垂直配向型液晶パネルを備えた投写型映像表示装置において、光学的補償プレートの組込み構造及び取扱い要領を簡略化すること。【解決手段】本発明に係る投写型映像表示装置は、液晶ライトバルブとして垂直配向型液晶パネル１と、垂直配向型液晶パネル１の入射側に配置された偏光板と、この偏光板に対し双方の吸収軸が互いに直交するように垂直配向型液晶パネル１の出射側に配置された偏光板とを備える。そして、光学補償フィルムとして、フィルム面内のｘ，ｙ方向の屈折率をｎｘ，ｎｙとし、フィルムの厚み方向の屈折率をｎｚとした場合に、ｎｘ＝ｎｙ＞ｎｚの関係を有する−Ｃ−プレート１７を備えるとともに、この−Ｃ−プレート１７が垂直配向型液晶パネル１の内部に積層された構造とされているものである。垂直配向型液晶パネル１は両面が防塵ガラス板１２，１３により封鎖されていることが好ましい。【選択図】図２
2011164420.tif 000002
【特許請求の範囲】
【請求項１】
液晶ライトバルブとして垂直配向型液晶パネルと、垂直配向型液晶パネルの入射側に配置された入射側の偏光板と、この入射側の偏光板に対し双方の吸収軸が互いに直交するように垂直配向型液晶パネルの出射側に配置された出射側の偏光板とを備えるとともに、光学補償フィルムとして、フィルム面内のｘ，ｙ方向の屈折率をｎｘ，ｎｙとし、フィルムの厚み方向の屈折率をｎｚとした場合においてｎｘ＝ｎｙ＞ｎｚの関係を有する−Ｃ−プレートを備えた投写型映像表示装置において、
前記垂直配向型液晶パネルの内部に前記−Ｃ−プレートが積層された構造であることを特徴とする投写型映像表示装置。
【請求項２】
請求項１記載の前記投写型映像表示装置は、ビジネス用投写型映像表示装置であることを特徴とする投写型映像表示装置。
【請求項３】
請求項１又は２記載の投写型映像表示装置において、前記垂直配向型液晶パネルは、対向基板と、ＴＦＴ基板と、これら基板間に構成された液晶層と、前記対向基板及び前記ＴＦＴ基板の外側それぞれに配置された二つの防塵ガラス板と、この防塵ガラス板と前記対向基板との間、又は、防塵ガラス板と前記ＴＦＴ基板との間に配設された−Ｃ−プレートと、これら各部材がフレームにより一体的に組付け構成されて、前記−Ｃ−プレートが前記垂直配向型液晶パネルの内部に積層された構造であることを特徴とする投写型映像表示装置。
【請求項４】
請求項３記載の投写型映像表示装置において、前記−Ｃ−プレートは、等方性を有し、かつ、熱変化による光学特性の変化が小さい感圧性接着剤により前記対向基板、前記ＴＦＴ基板又は防塵ガラス板に接着されていることを特徴とする投写型映像表示装置。
【請求項５】
請求項４記載の投写型映像表示装置において、前記接着剤は、アクリル酸アルキルエステルを成分とするアクリル系ポリマーを用いたアクリル系感圧性接着剤であることを特徴とする投写型映像表示装置。
【請求項６】
請求項１〜５の何れか１項に記載の投写型映像表示装置において、前記ライトバルブは、前記垂直配向型液晶パネルと前記入射側の偏光板との間、又は、前記垂直配向型液晶パネルと前記入射側の偏光板との間に、フィルム面内のｘ，ｙ方向の屈折率ｎｘ，ｎｙとフィルムの厚み方向の屈折率ｎｚとがｎｘ＞ｎｙ＝ｎｚの関係を有するＡ−プレートが配置されていることを特徴とする投写型映像表示装置。
【請求項７】
請求項６記載の投写型映像表示装置において、前記Ａ−プレートがガラス基板に積層され、このＡ−プレートを積層したガラス基板が、隣接する偏光板の表面に垂直な軸を中心とした回転方向に回転角度を調整できるように取り付けられていることを特徴とする投写型映像表示装置。
【発明の詳細な説明】
【技術分野】
【０００１】
本発明は、ライトバルブとして垂直配向型液晶パネルを利用した投写型映像表示装置に関し、特に、垂直配向型液晶パネルにおける複屈折性による残留位相差を補償する位相差板を用いた投写型映像表示装置に関する。
【背景技術】
【０００２】
投写型テレビなどに用いられる投写型映像表示装置として、垂直配向型液晶パネルと、垂直配向型液晶パネルの入射側に配置された偏光板と、この入射側の偏光板に対し吸収軸が互いに直交するように垂直配向型液晶パネルの出射側に配置された偏光板とを有する液晶ライトバルブを備えたものが用いられている。このような投写型映像表示装置は、垂直配向型液晶パネル自身が有する複屈折性により残留位相差が発生し、二重に光が見えコントラストが低下するという問題があった。また、このような投写型映像表示装置には、偏光板の偏光軸直交性に関係するコントラスト低下の問題があった。すなわち、入射側の偏光板と出射側の偏光板とが吸収軸を互いに直交するように（所謂クロスニコルに）配置されていることにより、入射側の偏光板に対し角度を持って入射した光は垂直配向型液晶パネルを通過して出射側の偏光板に到達しても所望の状態となっておらず、光漏れを起しコントラストが低下するという問題があった。
【０００３】
このような問題に対し従来は、光学的補償フィルムにより問題の解決が図られていた。すなわち、垂直配向型液晶パネル自身が有する複屈折性に対しては、光学的補償フィルムの一つである−Ｃ−プレートを用いることにより液晶パネルとの間で位相差を打ち消し合うようにすれば、互いに補償し合う理想的な状態となるため効果的に残留位相差を補償できることが知られている。ここで、−Ｃ−プレートは、フィルム面内において直交する二軸を成すｘ軸及びｙ軸の屈折率をｎｘ及びｎｙとし、フィルムの厚み方向の屈折率をｎｚとした場合にｎｘ＝ｎｙ＞ｎｚなるプレートをいう。
【０００４】
また、所謂クロスニコルに配置された偏光板の偏光軸直交性に関係するコントラスト低下の問題に対しては、他の光学的補償フィルムの一つであるＡ−プレートを光路内に配置する方法が知られている。ここで、Ａ−プレートは、ｎｘ，ｎｙ及びｎｚを上記のように定義した場合において、ｎｘ＞ｎｙ＝ｎｚなるプレートをいう。なお、この場合Ａ−プレートの光軸が隣接する偏光板の吸収軸に垂直になるように、Ａ−プレートを配置することが有効であるとされている。
【０００５】
このような投写型映像表示装置における液晶ライトバルブの一例を図７に示す。以下この例を従来技術１という。図７の液晶ライトバルブは、垂直配向型液晶パネル１０１と、垂直配向型液晶パネル１０１の入射側に配設された偏光板１０２と、垂直配向型液晶パネル１０１の出射側に配設された偏光板１０３とを備え、垂直配向型液晶パネル１０１と出射側の偏光板１０３との間に−Ｃ−プレート１０４及びＡ−プレート１０５が配設されている。そして、上記構成において、偏光板１０２と偏光板１０３とは、それぞれの吸収軸１０２ａ、１０３ａが互いに直交するように配設されている。また、−Ｃ−プレート１０４及びＡ−プレート１０５は、光学的補償フィルムとしてそれぞれ別個のガラス基板１０６ａ，１０６ｂの表面に接着により積層されて組み込まれている。なお、このような投写型映像表示装置を記載した文献例として特許文献１を挙げることができる。
【０００６】
また、このような投写型映像表示装置における液晶ライトバルブの他の例を図８に示す。以下この例を従来技術２という。図８の液晶ライトバルブは、図７のものと同様に、垂直配向型液晶パネル１０１と、垂直配向型液晶パネル１０１の入射側に配設された偏光板１０２と、垂直配向型液晶パネル１０１の出射側に配設された偏光板１０３とを備え、垂直配向型液晶パネル１０１と出射側の偏光板１０３との間に−Ｃ−プレート１０４及びＡ−プレート１０５が配設されている。そして、偏光板１０２と偏光板１０３とは、それぞれの吸収軸１０２ａ、１０３ａが互いに直交するように配設されている点は図７と同様であるが、−Ｃ−プレート１０４とＡ−プレート１０５とは、１枚のガラス基板１０６の表面に接着により積層されて組み込まれている。なお、このような投写型映像表示装置を記載した文献例として特許文献２を挙げることができる。
【０００７】
上記において、−Ｃ−プレート１０４は、前述のように本来的には、垂直配向型液晶パネル１０１における残存位相差を打ち消すためのものであるが、垂直配向型液晶パネル１０１における液晶分子のプレティルトが作用して、見る角度によって視覚特性が変動するという問題に対する解決を成すものとして構成されている。このため、−Ｃ−プレート１０４の外表面を垂直配向型液晶パネル１０１に対しプレティルトに合わせて傾斜させることが行われていた。
【０００８】
しかしながら、垂直配向型液晶パネル１０１における液晶分子のプレティルトは、出来上がった液晶パネル毎にバラツキが存在している。そこで、従来は、垂直配向型液晶パネル１０１の外表面に対する−Ｃ−プレート１０４の外表面の傾斜角度を調整して、前記見る角度による視覚特性の変動を緩和することが行われていた。
【０００９】
−Ｃ−プレート１０４の外表面の傾斜角度の調整は、例えば、従来技術１の場合、次のように行われていた。入射側の偏光板１０２の吸収軸１０２ａに平行であり、かつ、入射側の偏光板１０２の表面に平行な軸を中心とした回転方向、すなわち、図示座標軸におけるＹ−Ｚ面内の回転方向Ｒｂの傾斜角度を調整するものである。また、このような回転方向Ｒｂの傾斜角度を調整するために、−Ｃ−プレート１０４を表面に積層したガラス基板１０６ａの回転方向Ｒｂの傾斜角度が調整されていた。
【００１０】
一方、ガラス基板１０６ｂの表面に積層されたＡ−プレート１０５については、Ａ−プレート１０５の光軸１０５ｂと隣接する出射側の偏光板１０３の吸収軸１０３ａとが垂直になるように配置されている。ただし、この垂直性の精度を高めるために、Ａ−プレート１０５の光軸１０５ｂの方向を製品毎に調整できるように調整可能に構成されていた。
【００１１】
このように光軸１０５ｂの方向を製品毎に調整しなければならないのは、次のような理由による。第１の理由は、Ａ−プレート１０５の切り出し位置に誤差があるからである。Ａ−プレート１０５は、大きなフィルムから所定の位置で切り出されて所定寸法のフィルムに仕上げられている。このため、切り出し位置に誤差が生じることがある。第２の理由は、ガラス基板１０６ｂの表面に接着して積層する場合に、接着位置がずれる場合があり得る。これらの場合には、Ａ−プレート１０５を積層するガラス基板１０６ｂ自体が光路内において正確な位置に取り付けられたとしても、Ａ−プレート１０５の光軸１０５ｂにバラツキが存在しているため、光軸１０５ｂが一定にはならない。つまり、光軸１０５ｂと隣接する出射側の偏光板１０３の吸収軸１０３ａとの垂直性が保持されないことになる。また、このように垂直性が保持されない場合には、偏光軸直交性に関係するコントラストの低下の問題に対し十分な補償効果を得ることができないことになる。
【００１２】
そこで、このような問題を回避するために、Ａ−プレート１０５を表面に積層したガラス基板１０６ｂは、隣接する出射側の偏光板１０３の吸収軸１０３ａと垂直であり、かつ、出射側の偏光板１０３の表面に垂直な軸を中心として、回転方向Ｒａの方向に回転角度を調整可能に構成されている。そして、このように調整することにより、Ａ−プレート１０５の光軸１０５ｂと隣接する出射側の偏光板１０３の吸収軸１０３ａとが垂直になるように調整されていた。なお、回転方向Ｒａは、図示座標軸におけるＸ−Ｙ面内の回転方向である。
【００１３】
上述のごとく、従来技術１の場合は−Ｃ−プレート１０４とＡ−プレート１０５とが別個のガラス基板１０６ａ，１０６ｂに積層されていたのでそれぞれ個別に調整されていたが、前記従来技術２の場合は、１枚のガラス基板１０６に−Ｃ−プレート１０４及びＡ−プレート１０５が重なるように積層されていた。したがって、この場合は１枚のガラス基板１０６により回転方向Ｒａ及びＲｂについての調整が行われていた。
【先行技術文献】
【特許文献】
【００１４】
【特許文献１】特表２００６−５１５０８０号公報
【特許文献２】特開２００９−２７１４２１号公報
【発明の概要】
【発明が解決しようとする課題】
【００１５】
ところで、近年、ビジネス用投写型映像表示装置においては、室内の高照度化に合わせて表示画面を高輝度化することが強く要望されている。ビジネス用投写型映像表示装置は、この点において、高コントラスト化が最優先的に要望されているシネマ用投写型映像表示装置とは相違している。このため、最近のビジネス用投写型映像表示装置は、光源の高輝度化が必要となるとともに光学系機器の冷却能力の増大が必要であり、光学系機器への送風量の増加が必要となってきている。
【００１６】
一方、このビジネス用投写型映像表示装置においては、高コントラスト化の優先度が低いため、垂直配向型液晶パネル１０１における液晶分子のプレティルトに起因する視覚特性の変動についての補償の優先度が低いという状況にあった。
【００１７】
また、上述のライトバルブでは、垂直配向型液晶パネル１０１、偏光板１０２，１０３、−Ｃ−プレート１０４及びＡ−プレート１０５がそれぞれが独立部品となっているため取付機構が煩雑であった。また、上記調整機構、クーリング方法、冷却方法などの保護処理をそれぞれ個別に設定しなければならず、これら処理機構も煩雑になっていた。また、従来技術１の場合は、−Ｃ−プレート１０４やＡ−プレート１０５を積層するガラス基板１０６ａ，１０６ｂの組み込みに必要なスペースが大きいため、装置寸法を大きくすることなしには送風量の増加を可能とする通風路スペースの確保が困難であった。このようなことから、従来技術については、取付構造やその調整、処理についての簡略化が要請されていた。
【００１８】
本発明は、このような背景の下に成されたものであって、垂直配向型液晶パネルを備えた投写型映像表示装置において、光学的補償プレートの組込み構造及び取扱い要領を簡略化した投写型映像表示装置を提供することを目的とする。
【課題を解決するための手段】
【００１９】
本発明に係る投写型映像表示装置は、液晶ライトバルブとして垂直配向型液晶パネルと、垂直配向型液晶パネルの入射側に配置された入射側の偏光板と、この入射側の偏光板に対し双方の吸収軸が互いに直交するように垂直配向型液晶パネルの出射側に配置された出射側の偏光板とを備えるとともに、光学補償フィルムとして、フィルム面内のｘ，ｙ方向の屈折率をｎｘ，ｎｙとし、フィルムの厚み方向の屈折率をｎｚとした場合においてｎｘ＝ｎｙ＞ｎｚの関係を有する−Ｃ−プレートを備えた投写型映像表示装置において、前記垂直配向型液晶パネルの内部に前記−Ｃ−プレートが積層された構造であることを特徴とする。
【００２０】
このような構成によれば、−Ｃ−プレートが取り付けられているため、垂直配向型液晶パネルの残留位相差に起因するコントラストの低下を緩和することができる。また、−Ｃ−プレートが垂直配向型液晶パネルの内部に積層された構造であるので、−Ｃ−プレートが内蔵された垂直配向型液晶パネルを一つのデバイスとして単純に取り扱うことができる。また、−Ｃ−プレートを積層するガラス基板を組み込むためのスペースや、このガラス基板の傾斜角度の調整機構を設けるためのスペースが不要となるため、冷却空気の通風路の確保が容易となる。このため、液晶分子のプレティルトのばらつきに起因する所謂見る角度による視覚特性の変動を補償する−Ｃ−プレートの機能は発揮できなくなるが、高コントラスト化よりも高輝度化を優先するニーズに対して、送風による冷却効果の向上によりこれに応えることができる。
【００２１】
前記投写型映像表示装置は、ビジネス用投写型映像表示装置であることが好ましい。このような構成によれば、高コントラスト化よりも高輝度化の優先度が高いという市場ニーズを有するビジネス用投写型映像表示装置にマッチした製品を提供することができる。
【００２２】
また、前記垂直配向型液晶パネルは、対向基板と、ＴＦＴ基板と、これら基板間に構成された液晶層と、前記対向基板及び前記ＴＦＴ基板の外側それぞれに配置された二つの防塵ガラス板と、これら防塵ガラス板と前記対向基板、又は、防塵ガラス板と前記ＴＦＴ基板との間に配設された−Ｃ−プレートと、これら各部材がフレームにより一体的に組付け構成されて、前記−Ｃ−プレートが前記垂直配向型液晶パネルの内部に積層された構造であることが好ましい。このように構成することにより、垂直配向型液晶パネルと−Ｃ−プレートとを一つのデバイスとして取り扱うことが可能となる。
【００２３】
また、このような投写型映像表示装置において、前記−Ｃ−プレートは、等方性を有し、かつ、熱変化による光学特性の変化が小さい感圧性接着剤により前記対向基板，前記ＴＦＴ基板又は防塵ガラス板に接着されていることが好ましい。このような接着剤を使用しない場合は、コントラストにより部分的に温度が不均一となり、部分的にフィルムが伸縮される現象が繰り返されることにより、終には経年変化してフィルム面上に皺が形成される。このため、フィルム面上における屈折率の均一性が失われ、垂直配向型液晶パネルにおける残留位相差を補償する機能が損なわれる恐れがある。しかしながら、上述のような接着剤を用いることにより、このような弊害を抑制することができる。
【００２４】
また、前記接着剤としては、具体的には、アクリル酸アルキルエステルを成分とするアクリル系ポリマーを用いたアクリル系感圧性接着剤であることが好ましい。このような接着剤を用いることにより、前述の皺の発生を抑制し、垂直配向型液晶パネルにおける残留位相差を補償する機能の劣化を抑制することができる。
【００２５】
また、このような投写型映像表示装置において、前記ライトバルブは、前記垂直配向型液晶パネルと前記入射側の偏光板との間、又は、前記垂直配向型液晶パネルと前記出射側の偏光板との間に、フィルム面内のｘ，ｙ方向の屈折率ｎｘ，ｎｙとフィルムの厚み方向の屈折率ｎｚとがｎｘ＞ｎｙ＝ｎｚの関係を有するＡ−プレートが配置されるとともに、このＡ−プレートの光軸が隣接する偏光板の吸収軸に対し垂直となるように構成されていることが好ましい。このような構成によれば、所謂クロスニコルに配置された偏光板の偏光軸直交性に関係するコントラスト低下の問題を緩和することができる。
【００２６】
また、前記Ａ−プレートがガラス基板に積層され、このＡ−プレートを積層したガラス基板が、隣接する偏光板の表面に垂直な軸を中心とした回転方向に回転角度を調整できるように取り付けられているようにしてもよい。このような構成によれば、Ａ−プレートは、ガラス基板に積層されているので組み込み作業が容易化される。また、このガラス基板を隣接する偏光板の表面に垂直な軸を中心とした回転方向の回転角度を調整することにより、Ａ−プレートの光軸を隣接されている偏光板の光吸収軸に垂直になるように、その取付誤差を調整することができ、Ａ−プレートによる補償効果を確実化することができる。
【発明の効果】
【００２７】
本発明に係る投写型映像表示装置によれば、−Ｃ−プレートが取り付けられているため、垂直配向型液晶パネルの残留位相差に起因するコントラストの低下を緩和することができる。また、−Ｃ−プレートが垂直配向型液晶パネルの内部に積層された構造であるので、−Ｃ−プレートが内蔵された垂直配向型液晶パネルを一つのデバイスとして単純に取り扱うことができる。また、従来必要とされていた−Ｃ−プレートを積層するガラス基板を組み込むためのスペースや、このガラス基板の傾斜角度の調整機構を設けるためのスペースが不要となるため、冷却空気の通風路としてのスペースを拡大し、低騒音を維持しながら冷却性能を向上させることが可能となる。
【図面の簡単な説明】
【００２８】
【図１】本発明の実施の形態１に係る投写型映像表示装置における液晶ライトバルブの全体構成を示す斜視図である。
【図２】同投写型映像表示装置における垂直配向型液晶パネルの断面図である。
【図３】垂直配向型液晶パネルの参考断面図である。
【図４】同投写型映像表示装置におけるＡ−プレートの回転角度の調整によるコントラスト変化の説明図である。
【図５】本発明の実施の形態２に係る投写型映像表示装置における液晶ライトバルブの全体構成を示す斜視図である。
【図６】本発明の実施の形態３に係る垂直配向型液晶パネルの断面図である。
【図７】従来例に係る投写型映像表示装置における液晶ライトバルブの全体構成を示す斜視図である。
【図８】他の従来例に係る投写型映像表示装置における液晶ライトバルブの全体構成を示す斜視図である。
【発明を実施するための形態】
【００２９】
（実施の形態１）
以下、本発明の実施の形態１に係る投写型映像表示装置における液晶ライトバルブについて、図１に従い説明する。
【００３０】
本実施の形態に係る投写型映像表示装置における液晶ライトバルブは、図１に示すように、３板式の液晶プロジェクタ等の液晶ライトバルブとして用いられるものであって、垂直配向型液晶パネル（ＶＡ型液晶パネル）１の入射側に偏光板２が配置され、垂直配向型液晶パネル１の出射側に偏光板３が配置されている。そして、この垂直配向型液晶パネルは、内部に−Ｃ−プレート１７（図２参照）が収納されたものであるとともに、垂直配向型液晶パネル１と出射側の偏光板３との間に、光学的補償フィルムとしてのＡ−プレート４が配設されている。
【００３１】
ここで、−Ｃ−プレート１７は、フィルム面内において直交する二軸を成すｘ軸及びｙ軸の屈折率をｎｘ及びｎｙとし、フィルムの厚み方向の屈折率をｎｚとした場合にｎｘ＝ｎｙ＞ｎｚなるプレートである。Ａ−プレート４は、ｎｘ，ｎｙ及びｎｚを上記のように定義した場合において、ｎｘ＞ｎｙ＝ｎｚなるプレートである。
【００３２】
垂直配向型液晶パネル１は、図２に示すように、入射口１ａと出射口１ｂとを有するフレーム１１を備えている。また、フレーム１１は、出射口１ｂを有する厚肉状の枠部材１１ａと、この枠部材１１ａに貼り合わされる板状の見切りとを備えている。垂直配向型液晶パネル１は、これら両開口部を防塵ガラス板１２，１３で封鎖するとともに、内部に構成要素を積層したものである。内部に積層される構成要素としては、液晶パネルの基本的構成要素である対向基板１４、ＴＦＴ基板１５及び液晶層１６が含まれる他、従来は液晶パネルの外部に配置されていた光学補償板である−Ｃ−プレート１７が含まれる。
【００３３】
上記構成においてそれぞれの部材は次のようなものである。フレーム１１は、垂直配向型液晶パネル１を構成する構成部材を支持するとともに、垂直配向型液晶パネル１自身が投写型映像表示装置の内部で動かないように固定する固定板の役割を有している。また、フレーム１１を構成する枠部材１１ａ及び見切り１１ｂは、アルミニウム製で放熱効果に優れたものが好ましい。
【００３４】
防塵ガラス板１２，１３は、入射側は対向基板１４と同一の大きさに形成されるとともに、出射側はＴＦＴ基板１５と同じ大きさに形成されたものであって、対向基板１４やＴＦＴ基板１５の表面にごみが付着するのを防止するものである。なお、仮に防塵ガラス板１２，１３の表面に塵埃が付着してしまった場合でも、液晶層１６との距離を大きくすることで投写される映像に影響が及ばないようにしたものである。対向基板１４は、透明なガラス基板上に対向電極が形成されたものである。ＴＦＴ基板１５は、透明なガラス基板上に画素電極とＴＦＴスイッチが形成されたものである。
【００３５】
液晶層１６は、対向基板１４とＴＦＴ基板１５との間に誘電率異方性の液晶物質を封入したものであって、電圧非印加時に液晶分子の長軸が基板法線方向に配向され、電圧印加時に電気力線で液晶分子を傾かせる従来公知の方式のものである。そして、入力された映像情報に基づき映像を表示するように印加電圧が制御される。なお、この垂直配向型液晶パネル１を通過した光は、この液晶層１６を通過するときに液晶分子の配向により複屈折を生じ、残留位相差が発生する。
【００３６】
光学的補償フィルムとしての−Ｃ−プレート１７は、この液晶層１６の複屈折性に起因する残留位相差を打ち消すように作用するもので、これにより二重に光が見えコントラストが低下するという問題を解消するものである。また、−Ｃ−プレート１７をＴＦＴ基板１５と防塵ガラス板１３との間に接着する接着剤としては、等方性を有し、かつ、熱変化等の環境変化による光学特性の変化が小さいものを用いることが望ましく、例えば粘着シート等の感圧性接着剤、紫外線硬化型あるいは熱硬化型接着剤を用いることが好ましい。このようなものとして具体的には、例えば、アクリル酸アルキルエステルを成分とするアクリル系ポリマーを用いたアクリル系感圧性接着剤が用いられている。
【００３７】
垂直配向型液晶パネル１は、上記各部材が次のように積層されている。対向基板１４とＴＦＴ基板１５とが張り合わされ、これら基板の間に液晶層１６が封入されている。また、対向基板１４とＴＦＴ基板１５とに対しフレキシブルコネクタ１８が熱圧着され、さらに、対向基板１４とＴＦＴ基板１５とにＵＶ硬化接着剤で固定されている。フレキシブルコネクタ１８は、対向基板１４とＴＦＴ基板１５とに接続されて、対向基板１４とＴＦＴ基板１５とに信号を供給するものである。
【００３８】
垂直配向型液晶パネル１は、このように構成されたものを主要な構成要素とし、対向基板１４の入射側表面に防塵ガラス板１２が貼り合わされ、ＴＦＴ基板１５の出射側表面に−Ｃ−プレート１７が接着積層され、さらに、この−Ｃ−プレート１７の外側表面に防塵ガラス板１３が積層されている。そして、このように積層されたものが、枠部材１１ａ内に収納され、枠部材１１ａの入射側に見切り１１ｂが張り合わされることによりフレーム１１に収納されている。なお、対向基板１４と防塵ガラス板１２との間、これら積層された部材とフレーム１１との間はシリコン系接着剤により固定されている。
【００３９】
垂直配向型液晶パネル１の両側に配置される入射側の偏光板２及び出射側の偏光板３は、従来一般の投写型映像表示装置におけるものと同様に偏光子あるいは検光子として作用するように、吸収軸２ａ、３ａを互いに直交させる、所謂ニコルクロスに配置されている。
【００４０】
光学的補償フィルムとしてのＡ−プレート４は、入射側の偏光板２と出射側の偏光板３とがクロスニコルに配置されることによるコントラスト低下の問題を解決するものである。このＡ−プレート４は、従来のものと同様に、Ａ−プレート４の光軸４ａと、隣接する偏光板である出射側の偏光板３の吸収軸３ａとが垂直となるようにガラス基板５の表面に接着により積層されている。しかし、Ａ−プレート４の光軸４ａの向きは、前述のように通常バラツキがある。そこで、このバラツキを補償するために、Ａ−プレート４が表面に積層されたガラス基板５は、隣接する出射側の偏光板３の表面に垂直な軸を中心とした回転方向Ｒａの回転角度が調整可能に構成されている。回転方向Ｒａは、図１に図示された座標軸におけるＸ−Ｙ面内の回転方向となる。
【００４１】
このように構成された投写型映像表示装置は、次のように作用する。
投写型映像表示装置に入射した全方位の映像光は、投写型映像表示装置の各画素において、入射側の偏光板２で偏光されて垂直配向型液晶パネル１に入射されるとともに、垂直配向型液晶パネル１を透過する光量が制御され、さらに、出射側の偏光板３により検光されて出射される。このように、各画素における垂直配向型液晶パネル１の透過光量が調節されることにより映像光としてスクリーンに投写される。
【００４２】
この場合において、垂直配向型液晶パネル１を透過する光は、垂直配向型液晶パネル１内の液晶層を通過するときに液晶分子の配向により、複屈折作用を受けて残留位相差が発生するが、この残留位相差は−Ｃ−プレート１７により光学的に補償される。なお、この発明においては、垂直配向型液晶パネル１内に積層された−Ｃ−プレート１７の液晶層１６の面に対する傾斜角度が一定に固定されているため、液晶パネル毎のプレティルトのバラツキによるコントラストの低下については格別の調整が行われていない。なお、垂直配向型液晶パネル１は、−Ｃ−プレート１７が内部に積層された一つのデバイスとして取り扱うことができるため、ライトバルブ構成部材の保管、搬送、組付け等の作業が極めて簡略化される。
【００４３】
一つのデバイスとする構成として、図３に示すように、防塵ガラス板１３の外側の面に−Ｃ−プレート１７を接着することが考えられるが、この場合は、−Ｃ−プレート１７を出射口１１ｂより小さくして貼り付ける必要がある。このため、−Ｃ−プレート１７の端部と防塵ガラス板１３との間に段差１９が生じ、ごみが付着堆積し易くなる。このため映像の劣化を生ずる恐れがあるので、好ましくない。
【００４４】
また、入射側の偏光板２と出射側の偏光板３とが所謂クロスニコルに配置されていることにより、入射側の偏光板２に対し角度を持って入射した光が光漏れを起してコントラストが低下することについては、Ａ−プレート４の光軸４ａと、Ａ−プレート４に隣接する出射側の偏光板３の吸収軸３ａとを垂直に配置することにより改善されている。
【００４５】
なお、光軸４ａは、製品毎にその方向がばらつくが、これを是正して光軸４ａと吸収軸３ａとの垂直性を確保するために、ガラス基板５が回転方向Ｒａの回転角度が調整されている。この回転角度を変化させるとコントラストは図４の特性線図のように変化する。投写型映像表示装置の映像は、この特性線図に示されるように回転方向の略中心の近傍位置Ｃにおいて最高のコントラストとなり、このＣ点から離れるにつれコントラストが低下する特性を備えている。そこで、Ａ−プレート４の回転角の調整は、投影画面のコントラストを測定機器で測定するか目で確認しながら、コントラストが最高となるように位置調整が行われている。
【００４６】
実施の形態１に係る投写型映像表示装置は、以上のように構成されているので次のような効果を奏することができる。
（１）−Ｃ−プレート１７が取り付けられているため、垂直配向型液晶パネル１の残留位相差に起因するコントラストの低下を緩和することができる。
【００４７】
（２）−Ｃ−プレート１７が垂直配向型液晶パネル１の内部に積層された構造であるので、−Ｃ−プレート１７が内蔵された垂直配向型液晶パネルを一つのデバイスとして単純に取り扱うことができる。また、−Ｃ−プレート１７を積層するガラス基板を組み込むためのスペースや、このガラス基板の傾斜角度の調整機構を設けるためのスペースが不要となるため、冷却空気の通風路の確保が容易となる。このため、液晶分子のプレティルトのばらつきに起因する所謂見る角度による視覚特性の変動を補償する−Ｃ−プレート１７の機能は発揮できなくなるが、高コントラスト化よりも高輝度化を優先するニーズに対して、送風による冷却効果の向上によりこれに応えることができる。
【００４８】
（３）また、実施の形態１に係る投写型映像表示装置は、高コントラスト化よりも高輝度化の優先度が高いという市場ニーズを有するビジネス用投写型映像表示装置にマッチした製品を提供することができる。
【００４９】
（４）−Ｃ−プレート１７を接着するための接着剤は、等方性を有し、かつ、熱変化による光学特性の変化が小さいものである。これにより、このような接着剤を使用しない場合、次のような弊害を抑制することができる。−Ｃ−プレート１７は、コントラストにより部分的に温度が不均一となり、部分的にフィルムが伸縮される現象が繰り返され、終には経年変化によりフィルム面上に皺が形成される。このため、フィルム面上における屈折率の均一性が失われ、垂直配向型液晶パネル１における残留位相差を補償する機能が損なわれる恐れがある。しかしながら、上述のような接着剤を用いることにより、このような弊害を抑制することができる。
【００５０】
（５）前記接着剤としては、具体的には、アクリル酸アルキルエステルを成分とするアクリル系ポリマーを用いたアクリル系感圧性接着剤とされている。このような接着剤を用いることにより、前述の皺の発生を抑制し、垂直配向型液晶パネル１における残留位相差を補償する機能の劣化を抑制することができる。
【００５１】
（６）ライトバルブは、Ａ−プレート４が垂直配向型液晶パネルと出射側の偏光板との間に配置されるとともに、このＡ−プレートの光軸４ａが隣接する偏光板３の吸収軸３ａに対し垂直となるように構成されているので、所謂クロスニコルに配置された偏光板２，３の偏光軸直交性に関係するコントラスト低下の問題を緩和することができる。
【００５２】
（７）Ａ−プレート４がガラス基板５に積層され、このＡ−プレート４を積層したガラス基板５が、隣接する偏光板３の表面に垂直な軸を中心とした回転方向Ｒａに回転角度を調整できるように取り付けられている。したがって、Ａ−プレート４を積層したガラス基板５を、出射側の偏光板３の表面に垂直な軸を中心とした回転方向Ｒａの回転角度を調整することにより、Ａ−プレート４の光軸４ａについての回転方向Ｒａの取付誤差を調整することができ、Ａ−プレート４による補償効果を確実化することができる。
【００５３】
（８）−Ｃ−プレート１７が垂直配向型液晶パネル１内に積層された構造となっているので、位相差板としての調整作業は、従来のように２箇所で調整する必要がなく、Ａ−プレート４のみについて行えばよい。したがって、光学的補償プレートの調整作業が大幅に簡易化されている。
【００５４】
（９）Ａ−プレート４は、垂直配向型液晶パネル１と出射側の偏光板３との間に配置されているので、垂直配向型液晶パネル１と出射側の偏光板３との間にＡ−プレート４を配置していた従来品について、構成機器の配置順序に共通性を残しながら、冷却空気の通風路としてのスペースを拡大して冷却性能を向上させることが可能となる。
【００５５】
（実施の形態２）
次に、実施の形態２に係る投写型映像表示装置について、図５に基づいて説明する。
実施の形態２は、実施の形態１においてＡ−プレート４の位置を変更したもので、この実施の形態においては、図５に示すように入射側の偏光板２と垂直配向型液晶パネル１との間に、ガラス基板５の表面に接着により積層されたＡ−プレート４が配置されている。また、Ａ−プレート４は、この場合にはその光軸４ａが隣接する偏光板２の吸収軸２ａと直角を成すように配置されている。さらに、Ａ−プレート４を積層したガラス基板５は、入射側の偏光板２の表面に垂直な軸を中心とした回転方向Ｒａの回転角度を調整することにより、Ａ−プレート４の光軸４ａの方向についての誤差を調整することができるように構成されている。
【００５６】
このように構成された投写型映像表示装置は、実施の形態１における（１）〜（８）と同様の効果を奏するとともに、次の効果をも奏することができる。
（１０）Ａ−プレート４は、垂直配向型液晶パネル１と入射側の偏光板２との間に配置されているので、垂直配向型液晶パネル１と入射側の偏光板２との間にＡ−プレート４を配置していた従来品について、構成機器の配置順序に共通性を残しながら、冷却空気の通風路としてのスペースを拡大して冷却性能を向上させることが可能となる。
【００５７】
（実施の形態３）
次に、実施の形態２に係る投写型映像表示装置について、図６に基づいて説明する。
実施の形態２は、実施の形態１において−Ｃ−プレート１７の位置を変更したもので、この実施の形態においては、図６に示すように垂直配向型液晶パネル１における入射側の防塵ガラス板１２と対向基板１４との間に接着剤により接着したものである。
【００５８】
このように構成された投写型映像表示装置は、実施の形態１における（１）〜（９）と同様の効果を奏することができる。
（変形例）
本発明は、上記実施の形態において以下のように変更することもできる。
【００５９】
・実施の形態１〜３において、Ａ−プレート４が配置されているが、このＡ−プレート４を用いないものとすることもできる。この場合も−Ｃ−プレート１７を積層する格別のガラス基板を用いないので、冷却空気の通風路としてのスペースを拡大して冷却性能を向上させることができる。
【００６０】
・実施の形態２において、垂直配向型液晶パネル１を実施の形態３の場合と同様に変更したものとしてもよい。すなわち、実施の形態２において、−Ｃ−プレート１７の位置を防塵ガラス板１２と対向基板１４との間に変更してもよい。この場合も、前述の実施の形態２と同様の効果を奏することができる。
【産業上の利用可能性】
【００６１】
本発明に係る投写型映像表示装置は、投写型映像表示装置、液晶テレビなどにおける液晶ライトバルブとして利用することができる。
【符号の説明】
【００６２】
Ｒａ…回転方向、１…垂直配向型液晶パネル、２…（入射側の）偏光板、２ａ…吸収軸  
、３…（出射側の）偏光板、３ａ…吸収軸、４…Ａ−プレート、４ａ…光軸、５…ガラス基板、１１…フレーム、１２，１３…防塵ガラス板、１４…対向基板、１５…ＴＦＴ基板、１６…液晶層、１７…−Ｃ−プレート。
【図１】
2011164420.tif 000003
【図２】
2011164420.tif 000004
【図３】
2011164420.tif 000005
【図４】
2011164420.tif 000006
【図５】
2011164420.tif 000007
【図６】
2011164420.tif 000008
【図７】
2011164420.tif 000009
【図８】
2011164420.tif 000010